(57)【要約】【課題】昼夜間を問わず工事現場において、バスダクトのプラグインホールに位置する導体に接続されるクリップと挿入刃の間の電気的な接続が確実に行われていることを容易に確認することができるプラグイン器具を提供する。【解決手段】バスダクトのプラグインホール内に位置するバスタクト本体側導体に電気的に接続される接続部材と、厚さ方向に可動な探針部材と、前記探針部材の動きを検出する検出部とを備えたプラグイン器具。探針部材が両端部に設けられている。接続部材が挿入刃からなっており、探針部材が挿入刃に装着されている。別の態様では、接続部材がクリップからなっており、探針部材がクリップに装着されている。探針部材がストッパーおよび弾性部材を備えている。検出部は、探針部材に設けられたマーキングからなっている。【選択図】図５
2010239673.tif 000002
【特許請求の範囲】
【請求項１】
バスダクトのプラグインホール内に位置するバスタクト本体側導体に電気的に接続される接続部材と、厚さ方向に可動な探針部材と、前記探針部材の動きを検出する検出部とを備えたプラグイン器具。
【請求項２】
前記探針部材が両端部に設けられている、請求項１に記載のプラグイン器具。
【請求項３】
前記接続部材が挿入刃からなっており、前記探針部材が前記挿入刃に装着されている、請求項１に記載のプラグイン器具。
【請求項４】
前記接続部材がクリップからなっており、前記探針部材が前記クリップに装着されている、請求項１に記載のプラグイン器具。
【請求項５】
前記探針部材がストッパーおよび弾性部材を備えている、請求項１から４の何れか１項に記載のプラグイン器具。
【請求項６】
前記探針部材を、バスタクトの長手方向に複数個備えている、請求項３から５の何れか１項に記載のプラグイン器具。
【請求項７】
前記検出部は、前記探針部材に設けられたマーキングからなっている、請求項１から７の何れか１項に記載のプラグイン器具。
【請求項８】
前記バスダクト本体側導体に一方の端部が取り付けられた、一対の弾性導体片からなるクリップを備えており、前記クリップの他方の端部が前記挿入刃の側面を弾性的に保持する弾性保持部を備えている、請求項３に記載のプラグイン器具。
【請求項９】
前記弾性導体片に弾性的に保持された前記挿入刃が所定位置に移動すると、マーキングが、前記挿入刃の上端部に現われるように設定されている、請求項８に記載のプラグイン器具。
【請求項１０】
前記クリップが、バスタクト本体側導体に取り付けられる下方に向かって閉じる２つの傾斜面および概ね平らな上面を有する導体からなり、前記上面に搭載されて、弾性部材を収納する箱体を備え、前記探針部材が前記弾性部材に挿入され前記箱体および前記上面を貫通し、前記バスダクト本体側導体に先端部が接触して配置される、請求項４に記載のプラグイン器具。
【請求項１１】
前記探針部材の先端部が前記バスダクト本体側導体に押し付けられて、所定位置に移動すると、前記マーキングが、前記箱体の上端部に現われるように設定されている、請求項１０に記載のプラグイン器具。
【発明の詳細な説明】
【技術分野】
【０００１】
この発明は、バスダクトから電源を分岐する際に使用されるプラグイン器具、特に、探針部材を備え、バスダクト本体側導体への取り付け確認が容易なプラグイン器具に関する。
【背景技術】
【０００２】
高層ビル等の構造物では、電気幹線路を構成するためにバスダクトが使用されている。バスダクトは通常ケーブル等とは異なり、大きな荷重、剛性を有している。一般にバスダクトとは、電気導体の周囲を絶縁材で覆って構成した導体をハウジングの内部に複数収納保持するものである。このバスダクトは、複数のケーブルを束ねて配線する配線システムと比較して、低インピーダンスでかつ漏洩磁束防止などに極めて優れた機能を有することから、工場施設やビルの主電力供給ラインなどに広く用いられている。
【０００３】
従来、バスダクトとして、複数の帯状または丸線状の導体と、導体を収納するハウジングと、ハウジング内の空間を複数個の空間に分離する複数の分離部材とを備えたバスダクトが使用されている。上述した分離部材は、ハウジングと導体との間に形成される空間、および、複数の導体の相互の間に形成される空間を、複数の空間に分離するバスダクトである。上述した導体は、電気導体と、電気導体の周面に設けられ、他の電気導体と電気的に分離するための絶縁体とを備えている。
【０００４】
上述したバスダクトハウジングの一面には、プラグインホールが設けられている。プラグインホールには、プラグイン機器を備えたプラグインボックスが取り付けられて、バスダクトから電源を分岐する。
【先行技術文献】
【特許文献】
【０００５】
【特許文献１】特開２００４−１０４８９６号公報
【特許文献２】実開昭６１−１６１８３２号公報
【発明の概要】
【発明が解決しようとする課題】
【０００６】
上述したように、バスダクトから電源を分岐するために、バスダクト本体にプラグインホールが設けられている。それに対応して、バスダクト内に配置された導体と電気的に接続されるプラグイン器具が用いられる。プラグインホール内に配置された導体またはプラグイン器具には、電気的接続のために、クリップと挿入刃が装着される。例えば、プラグインホール内に配置された導体にクリップを取り付け、このように取り付けられたクリップに挿入刃を差し込むことによって、挿入刃とプラグインホール内の導体とが電気的に接続され、挿入刃を介して電源の分岐が可能になる。
【０００７】
しかしながら、プラグイン器具は、通常工事現場で取り付けられることが多く、夜間にも行われる場合があり、クリップと挿入刃が水平方向および垂直方向において確実に接続されているか否かの確認が困難である。また、プラグイン器具の取り付けは活線作業であることが多く、テスター等の電気機器によって確認することが困難である。
【０００８】
従って、本発明の目的は、昼夜間を問わず工事現場において、バスダクトのプラグインホールに位置する導体に接続されるクリップと挿入刃の間の電気的な接続が確実に行われていることを容易に確認することができるプラグイン器具を提供することにある。
【課題を解決するための手段】
【０００９】
上記の課題を解決するために、プラグイン器具の両端部にストッパーと弾性部材を備えた軸形状の探針部材を装着し、軸形状の探針部材の所定部位にマーキングを施すと、バスダクトのプラグインホールにプラグイン器具が正確に装着されると、マーキングが現われて、確実な挿入を確認することができる。
【００１０】
更に、バスダクトのプラグインホール内の導体にクリップを取り付け、このクリップに挿入する挿入刃に、ストッパーと弾性部材を備えた軸形状の探針部材を装着し、軸形状の探針部材の所定部位にマーキングを施すと、探針部材の先端部が導体に押し付けられ、挿入刃がクリップに確実に装着されると、マーキングが現われて、挿入刃がクリップを介して導体に確実に電気的に接続されたことが確認できる。即ち、導体側にクリップが装着され、プラグイン器具側に挿入刃を備え、挿入刃に探針部材が装着されている。
【００１１】
更に、導体に電気的に接続されるクリップをプラグイン器具側に装着し、クリップに探針部材を装着して、クリップを導体に装着すると、クリップに装着された探針部材の先端部が導体に押し付けられて、導体にクリップが確実に装着されると、マーキングが現われて、確実に電気的に接続されたことが確認できる。
【００１２】
この発明のプラグイン器具の第１の態様は、バスダクトのプラグインホール内に位置するバスタクト本体側導体に電気的に接続される接続部材と、厚さ方向に可動な探針部材と、前記探針部材の動きを検出する検出部とを備えたプラグイン器具である。
【００１３】
この発明のプラグイン器具の第２の態様は、前記探針部材が両端部に設けられているプラグイン器具である。  
【００１４】
この発明のプラグイン器具の第３の態様は、前記接続部材が挿入刃からなっており、前記探針部材が前記挿入刃に装着されているプラグイン器具である。  
【００１５】
この発明のプラグイン器具の第４の態様は、前記接続部材がクリップからなっており、前記探針部材が前記クリップに装着されているプラグイン器具である。  
【００１６】
この発明のプラグイン器具の第５の態様は、前記探針部材がストッパーおよび弾性部材を備えているプラグイン器具である。    
【００１７】
この発明のプラグイン器具の第６の態様は、前記探針部材を、バスタクトの長手方向に複数個備えているプラグイン器具である。  
【００１８】
この発明のプラグイン器具の第７の態様は、前記検出部は、前記探針部材に設けられたマーキングからなっているプラグイン器具である。  
【００１９】
この発明のプラグイン器具の第８の態様は、前記バスダクト本体側導体に一方の端部が取り付けられた、一対の弾性導体片からなるクリップを備えており、前記クリップの他方の端部が前記挿入刃の側面を弾性的に保持する弾性保持部を備えているプラグイン器具である。  
【００２０】
この発明のプラグイン器具の第９の態様は、前記弾性導体片に弾性的に保持された前記挿入刃が所定位置に移動すると、マーキングが、前記挿入刃の上端部に現われるように設定されているプラグイン器具である。
【００２１】
この発明のプラグイン器具の第１０の態様は、前記クリップが、バスタクト本体側導体に取り付けられる下方に向かって閉じる２つの傾斜面および概ね平らな上面を有する導体からなり、前記上面に搭載されて、弾性部材を収納する箱体を備え、前記探針部材が前記弾性部材に挿入され前記箱体および前記上面を貫通し、前記バスダクト本体側導体に先端部が接触して配置されるプラグイン器具である。
【００２２】
この発明のプラグイン器具の第１１の態様は、前記探針部材の先端部が前記バスダクト本体側導体に押し付けられて、所定位置に移動すると、前記マーキングが、前記箱体の上端部に現われるように設定されているプラグイン器具である。
【発明の効果】
【００２３】
この発明によると、プラグイン器具の両端部にストッパーと弾性部材を備えた軸形状の探針部材を装着し、軸形状の探針部材の所定部位にマーキングを施すので、バスダクトのプラグインホールにプラグイン器具が正確に装着されると、マーキングが現われて、確実な挿入を確認することができる。
【００２４】
更に、バスダクトのプラグインホール内の導体にクリップを取り付け、このクリップに挿入する挿入刃に、ストッパーと弾性部材を備えた軸形状の探針部材を装着し、軸形状の探針部材の所定部位にマーキングを施すので、探針部材の先端部が導体に押し付けられ、挿入刃がクリップに確実に装着されると、マーキングが現われて、挿入刃がクリップを介して導体に確実に電気的に接続されたことが容易に確認できる。
【００２５】
更に、導体に電気的に接続されるクリップをプラグイン器具側に装着し、クリップに探針部材を装着して、クリップを導体に装着するので、クリップに装着された探針部材の先端部が導体に押し付けられて、導体にクリップが確実に装着されると、マーキングが現われて、確実に電気的に接続されたことが容易に確認できる。
【図面の簡単な説明】
【００２６】
【図１】図１は、バスダクトハウジングのプラグインホールに取り付けられたこの発明のプラグイン器具を説明する斜視図である。
【図２】図２は、挿入刃を示す斜視図である。
【図３】図３は、探針部材を示す斜視図である。
【図４】図４は、挿入刃に探針部材を装着した状態を示す斜視図である。
【図５】図５は、クリップに装着された挿入刃を説明する断面図である。
【図６】図６は、この発明の他の態様を説明する断面図である。
【図７】図７は、この発明の挿入刃の他の態様を説明する斜視図である。
【発明を実施するための形態】
【００２７】
この発明のプラグイン器具を、図面を参照しながら説明する。
この発明のプラグイン器具の１つの態様は、バスダクトのプラグインホール内に位置するバスタクト本体側導体に電気的に接続される接続部材と、厚さ方向に可動な探針部材と、探針部材の動きを検出する検出部とを備えたプラグイン器具である。探針部材が両端部に設けられている。探針部材がストッパーおよび弾性部材を備えている。検出部は、探針部材に設けられたマーキングからなっている。
【００２８】
図１は、バスダクトハウジングのプラグインホールに取り付けられたこの発明のプラグイン器具を説明する斜視図である。
バスダクトハウジング２の中には図示しないが複数の板状の導体が収納されている。図１に示すように、バスダクトハウジング２のプラグインホールにプラグイン器具１が取り付けられる。図１に示す態様では、プラグイン器具１が上方から取り付けられているが、バスダクトハウジング２の横方または下方から取り付けることもできる。
【００２９】
詳細は後述するが、プラグイン器具１には、探針部材を備えた挿入刃３がプラグインホール内の導体に取り付けられたクリップに装着されて、電気的に接続されている。導体とクリップを介して電気的に接続された挿入刃３は、それぞれ、端子２２および導線２１を介してブレーカー２０に電気的に接続されている。ブレーカー２０の他方の端部から所望の方向に電源が分岐される。
【００３０】
図１に示す態様においては、プラグイン器具は、両端部に探針部材２３を備えている。両端部に設けられた探針部材２３は、上述した挿入刃３に取り付けられた探針部材と同様に、軸形状からなり、ストッパーおよび弾性部材を備え、検出部を備えている。探針部材の詳細については後述するが、プラグイン器具が確実にプラグインホールに固定されると、軸形状の探針部材の所定の位置に施されたマーキング１６が現われる。従って、プラグイン器具がプラグインホールに確実に挿入されたことが容易に確認できる。
【００３１】
図２は、挿入刃を示す斜視図である。図２に示すように、挿入刃３は、クリップへの装着を容易にするための先細りの傾斜面を有する導体からなる刃部５と、刃部５と一体的に形成された板状の導体からなる本体部４と、板状の導体の本体部４の概ね中央部に板厚方向に設けられた、切り欠き部６と、切り欠き部６に連絡し、刃部５および本体部４に形成された貫通孔部７とを備えている。
【００３２】
図３は、探針部材を示す斜視図である。図３に示すように、探針部材８は、挿入刃３の切り欠き部６内に配置されるバネ等の弾性体１１と、挿入刃３の貫通孔部７に装着される導体からなる軸本体部９と、軸本体部９の所定位置の外周面に装置されて、弾性体１１が下方へ移動するのを阻止するナット等のストッパー部材１０と、軸本体部９の所定位置に設けられたマーキング１６とを備えている。
【００３３】
図４は、挿入刃に探針部材を装着した状態を示す斜視図である。図４に示すように、挿入刃３に探針部材８が装着されている。即ち、挿入刃３の本体部４に形成された概ね矩形の切り欠き部６内に探針部材８の弾性体１１が装着され、刃部５および本体部４に形成された貫通孔部７に、弾性体１１の中を通って、軸本体部９が挿通されている。
【００３４】
図４に示す状態は、切り欠き部６の下端の面に形成された窪みにストッパー部材１０が嵌合して支持され、軸本体部９が刃部５の下方に突き出た状態である。この状態では、挿入刃３の本体部４の上端から上方に突き出ている軸本体部９にマーキング１６が現われていない。即ち、マーキング１６は、挿入刃３の本体部４の上端と切り欠き部６の上端との間の貫通孔部内に位置している部分にあり、外部から見ることができない。
【００３５】
なお、図１に示す探針部材２３においては、挿入刃３の代わりに、上面、底面、垂直面からなる断面コの字形の板状部材２４が用いられ、板状部材２４の内側の空間に弾性部材が配置される。探針部材２３の軸本体部の一方の端部は、プラグイン器具１の底面の下側に位置しており、プラグイン器具１をバスダクトハウジング２のプラグインホールに取り付けるときに、バスダクトハウジング２の上面が、探針部材２３の軸本体部の一方の端部を、弾性部材の弾性力に抗して上方向に押し上げる。
【００３６】
その結果、軸本体部２３が上方に移動して、断面コの字形の板状部材２４の上面から上方に突き出て、プラグイン器具１がプラグインホールに正しく固定されると、軸本体部２３に設けられたマーキング１６が現われる。このように、プラグイン器具１がプラグインホールに正しく固定されている（即ち、プラグイン器具とバスダクトが平行に取り付けられる）状態を容易に確認することができる。
【００３７】
図５は、クリップに装着された挿入刃を説明する断面図である。図５に示す態様においては、バスダクトハウジング内に収納された板状の導体（バスダクト本体側導体）１２にクリップ１３が取り付けられている。導体１２は紙面に垂直な方向に延伸している。クリップ１３は、一対の弾性導体片４１からなり、一方の端部４２がバスダクト本体側導体１２に取り付けられ、他方の端部が挿入刃３の本体部の側面を弾性的に保持する弾性保持部４３を備えている。
【００３８】
図５に示すように、バスダクト本体側導体１２に取り付けられたクリップ１３に、探針部材８が装着された挿入刃３の刃部５を押し当てて、一対の弾性導体片４１の弾性保持部４３によって保持されるように、挿入刃３を推し進める。先ず軸本体部９の先端部がバスダクト本体側導体１２と接触し、次いで挿入刃３の本体部に形成された切り欠き部６に装着された弾性体１１の弾性力に抗して、更に挿入刃３をバスダクト本体側導体１２方向に推し進める。
【００３９】
その結果、クリップ１３の一対の弾性導体片４１の弾性保持部４３に挿入刃３の本体部が保持されて、軸本体部が上方向に移動し、挿入刃３の本体部の上端から上に軸本体部９に形成されたマーキング１６が現われる。なお、クリップの上述した弾性導体片４１が、挿入刃３の刃部５を、軸本体部９の一方の端部がバスダクト本体側導体１２の先端部に押し付けられるように誘導する形状を備えていると好ましい。クリップ１３は、バスダクト本体側導体１２に固定されるような、所定の幅を有しており、側面からみると概ね矩形の弾性を有する板材からなっている。
【００４０】
更に、検出部のマーキング１６は、弾性導体片４１に弾性的に保持された挿入刃３が所定位置に移動すると、挿入刃３の本体部４の上端部に位置する軸本体部９の部位に現われるように設定されていることが好ましい。
マーキング１６は、例えばカラー表示、蛍光表示、浮き彫り加工等によって施すことができる。天候、昼夜の工事においても、確認し易い表示が好ましい。
【００４１】
図６は、この発明の他の態様を説明する断面図である。図５を参照して説明した態様では、バスダクト本体側導体にクリップを設け、挿入刃をプラグイン器具側に装着したが、図６に示す態様においては、プラグイン器具１側にクリップを装着する。
【００４２】
この態様のプラグイン器具１は、バスタクト本体側導体１２に弾性的に装着される下方に向かって閉じる２つの傾斜面および概ね平らな上面を有する導体からなるクリップ１４と、上面に搭載されて、弾性体１１を収納する箱体１５と、弾性体１１に挿入され箱体１５および上面を貫通し、バスダクト本体側導体１２に先端部が接触して配置される軸本体部９とを備えている。この態様においても、軸本体部９は、弾性体１１の移動を阻止するストッパー部材１０と、所定位置に設けられたマーキング１６とを備えている。
【００４３】
クリップ１４は、バスダクト本体側導体１２を挟むように装着されて、固定されるために必要な所定の幅を有している。箱体１５は、クリップ１４の上面に一体的に形成され、クリップ１４の幅と概ね同じ長さを有している。箱体１５は、長手方向の対向する面を除いて開放されていて、図６に示すように弾性体１１が見えるような形状であってもよい。
【００４４】
図６に示す態様においても、バスダクト本体側導体１２にクリップ１４を装着するまでは、軸本体部９に力が加わっていないので、弾性体１１は開放状態で、軸本体部９はナット等のストッパー部材１０によって支持された状態である。プラグイン器具１の取り付けに際しては、クリップ１４の先端部をバスダクト本体側導体１２に向かって押し付けて装着する。それに伴って、探針部材８の軸本体部９の一方の端部は、バスダクト本体側導体１２の上面に押し付けられる。更に、バスダクト本体側導体１２に向かってクリップ１４を推し進めると、弾性部材１１の弾性力に抗して、軸本体部９が上方向に押し上げられる。
【００４５】
その結果、軸本体部９が上方向に移動し、箱体１５の上面から軸本体部９に形成されたマーキング１６が現われる。即ち、マーキング１６は、軸本体部９の先端部がバスダクト本体側導体１２に押し付けられて、所定位置に移動すると、箱体１５の上端部に位置する軸本体部９の部位に現われるように設定されている。なお、図６に示す態様では、探針部材８は一本だけであるが、バスダクト本体側導体１２の長軸方向に沿って所定間隔で複数本設けてもよい。複数本の探針部材８を設けることによって、垂直方向だけでなく、水平方向においても、プラグイン器具１がバスダクトに平行に確実に挿入されることを容易に確認することができる。
【００４６】
図７は、この発明の挿入刃の他の態様を説明する斜視図である。図７に示す態様では、挿入刃３０は、複数の切り欠き部３６および貫通孔部３７を備えている。図２を参照して説明したように、挿入刃３０は、クリップへの装着を容易にするための先細りの傾斜面を有する導体からなる刃部３５と、刃部３５と一体的に形成された板状の導体からなる本体部３４と、板状の導体の本体部３４の概ね中央部に板厚方向に設けられた、複数（図では３個）の切り欠き部３６と、切り欠き部３６に連絡し、刃部３５および本体部３４に形成された複数（図では３個）の貫通孔部３７とを備えている。
【００４７】
切り欠き部３６および貫通孔部３７には、図３を参照して説明した探針部材８がそれぞれ装着される。このように、挿入刃の本体部に複数の切り欠き部を設け、対応する貫通孔部を形成することによって、垂直方向だけでなく、水平方向においても、プラグイン器具がバスダクトに平行に確実に固定されることを容易に確認することができる。
【００４８】
この発明によると、薄型且つコンパクトで、ケース内に収納された基板等の端子部と、導体に電気的に接続された端子とを接続し、ケースの先端部を嵌合して固定することができるコネクタおよびコネクタアセンブリを提供することができる。
【符号の説明】
【００４９】
１  プラグイン器具  
２  バスダクトハウジング
３  挿入刃
４  本体部
５  刃部
６  切り欠き部
７  貫通孔部
８  探針部材
９  軸本体部
１０  ストッパー部材
１１  弾性体
１２  バスダクト本体側導体
１３  クリップ
１４  クリップ
１５  箱体
１６  マーキング
２０  ブレーカー
２１  導線
２２  端子
２３  探針部材
２４  板状部材
３０  挿入刃
３４  本体部
３５  刃部
３６  切り欠き部
３７  貫通孔部
４１  一対の弾性導体片
４２  一方の端部
４３  弾性保持部
【図１】
2010239673.tif 000003
【図２】
2010239673.tif 000004
【図３】
2010239673.tif 000005
【図４】
2010239673.tif 000006
【図５】
2010239673.tif 000007
【図６】
2010239673.tif 000008
【図７】
2010239673.tif 000009